(57)【要約】      （修正有）【課題】入浴中に気分が悪くなったり、意識が薄れていくのを感じた時の緊急連絡、居眠り、うたた寝や何らかの原因で意識が朦朧となったり、なくなったりすると自然に頭部が垂れ、湯に浸かり知らぬうちに風呂の湯での溺死を未然に防ぐことを課題とする。【解決手段】入浴中の居眠りやうたた寝、何らかの原因による意識喪失で頭部が湯面に触れるのを浮輪及びシート１で防ぎ、さらに意識が薄れかかった時にシートの裏面に装着されている簡単な警報装置を操作することで迅速かつ正確に家人に緊急を知らせる。【選択図】図１
2006150005.tif 000002
【特許請求の範囲】
【請求項１】
断熱性に富んだ素材でつくられるシートの一端に円孔を設け、前記円孔上に内径が前記円孔の直径とほぼ同寸法の直径を有する中空の浮輪を着脱自在に結合し、前記シート裏面の適宜位置に警報装置の操作部を設けてなる入浴中の溺死予防枕つき保温シート。
【発明の詳細な説明】
【技術分野】
【０００１】入浴中の溺死予防枕つき保温シートに関するものである。
【背景技術】
【０００２】枕の部分と顔面を受け止める部からなる可動性の連結部で構成されているシートが知られている。浴槽内で顔面が前傾になった場合、頭部が後ろに倒れた場合の対策は施されている。しかし、保護範囲が狭い首周りだけに限られ湯面に対しての何の対策もない。さらにあまりにも首周りに密着しすぎていて違和感がある上、その都度連結部の操作が必要で手間がかかる。【０００３】顔面が水面に接するのを瞬時には和らげることができるが、前面だけに注目されていて後方、左右に全く配慮が足りない。【０００４】保温シートに孔部を設けて孔から頭部を通し首周りに合わせて隙間を閉塞するのを特徴としているものが知られている。あくまで入浴は心身のリラックスに重点が置かれるものなので、閉塞するとかえって緊張感が高まり、継続使用は困難である。また浴槽の蓋の形式をとっているのでシートと顔との距離が近く、目の前に接近しすぎていて圧迫感を感じる。【０００５】枕の支持部を浴槽の縁に掛けて固定するものが知られている。入浴後はそれをはずす構造になっているので着脱に手間がかかる。
【特許文献１】特開２００４−５７７５２
【特許文献２】実用新案登録第３０７０３１８号
【特許文献３】特開２００４−１０５６１１
【特許文献４】特開平９−１４０６０９
【特許文献５】特開２００２−２６２９８０
【発明の開示】
【発明が解決しようとする課題】
【０００６】入浴中の居眠り、うたた寝や何らかの原因で意識が薄れたり、なくなったりすると頭部が下方に倒れる。必ずしも顔面からではない。首の周囲、３６０度の範囲がある。いかなる方向に倒れようとも頭部を受け止め、支えられる機能を有する物が要求される。【０００７】入浴中に気分が悪くなったり、意識が薄れていくのを感じた時、大声で叫んだり、身体を移動して浴室の壁に備えられている危険時専用ボタンを押すことが不可能である。そのような状態に陥った時、そのままの姿勢で危険を知らせる機能を有するものが望まれる。【０００８】肺、心臓や血圧などの慢性疾病のある人、加齢に伴う弱健康体の人、美容、痩身に関心のある人、半身浴愛好の健康人に取り入れられている半身浴方式の効果をあげる機能を有するものが求められる。【０００９】通常入浴時の一層の快適さを高める機能が望まれる。【００１０】上記の機能を有するシートを提供するのが課題である。
【課題を解決するための手段】
【００１１】断熱性、弾力性に富み、湯の温度で変化、変形、硬化がなく、刃物で容易に切れ、肌触りの良い材質で作られているシートの一端部に円孔を設け、前記円孔の上に内径が前記円孔の直径とほぼ同寸法の直径を有し、シート同様湯の温度で変化、変形、硬化しない材質の中空の浮輪を着脱自在に結合し、前記シートの裏面の適宜位置に警報装置の操作部を設け、シートを各々の浴槽の大きさに切り合わせて使用する入浴中の溺死予防枕つき保温シート。
【発明の効果】
【００１２】本発明は入浴中の居眠り、うたた寝や何らかの原因で意識が朦朧となったり、意識がなくなると、人体構造上頭部が自然に下方に倒れる。倒れる方向は予測できないので、首の全方向に対応できる浮輪が頭を支えるだけではなく、浴槽の湯面全体に広がる保温シートが浮き沈みを防ぎ、入浴中の溺死を未然に防ぐ。【００１３】入浴中に気分が悪くなったり、意識が遠のいていくのを感じた時、大声で叫んだり、最近の浴室にはすでに危険時専用ボタンがついているので、そのボタンを押して家人に知らせ、助けを求めるのが良いと一般にいわれている。しかし、いざそのような状態になると、必要な音量の声は出ず、浴室の壁面に設置されているボタンの所へ身体を移動して、ボタンを押すことは不可能である。瞬時に行動に移すには警報装置の操作部が身近にあり、操作方法が簡単である本発明が有効である。【００１４】肺、心臓や血圧などの慢性疾病のある人、加齢に伴う弱健康体の人、美容、痩身に関心のある人、半身浴愛好の健康人と半身浴をしている人の数は増加の傾向にある。半身浴はお湯に浸かるのは下半身のみなので、上半身は浴室の温度に左右され、特に冬期には体温が著しく低下し、半身浴の効果以前に体調を損なうこともある。本発明の保温シートが半身浴中、肩から全身を被うので浴槽の中の湯気が逃げるのを遮断し、上半身の体温の低下を抑える。それで全身の冷え感が少なく、半身浴にもかかわらず、全身の発汗作用を高め、全身浴に近い感覚を味わう。【００１５】通常入浴時には保温シートに着脱自在に結合されている浮輪に後頭部を当てることで浮輪が枕の役目をし、一層快適な入浴ができる。
【発明を実施するための最良の形態】
【００１６】保温シートにあけられた円孔は、着用した時に首周りの間に全体的にほぼ同寸法の隙間を保持し、その隙間が首周りに違和感を与えることなくよく馴染む。さらに、浴槽の湯気が逃げるのを最小限に抑える。湯気が逃げるのを防ぐためには孔に首を通してから首周りのサイズに合わせて孔を狭める方法も考えられるが、狭める行為の煩わしさ、首周りに感じる違和感がストレスの原因となり、気楽な継続使用は困難である。【００１７】保温シートに着脱自在に結合された浮輪の大きさは、空気が封入された状態で大人の頭部の重量を支えることができる大きさとする。浮輪の横断面は三角形を除く四角形、多角形、楕円、円と多様である。また縦断面は前後左右が同形、異形、あるいは枕の部分に相当する後部に重点を置き、左右から徐々に太めにすることも含まれる。保温シートの浮輪の固定方法はフック、マジックテープ、スライド式などとする。【００１８】保温シートと浮輪の材質は湯の温度で変化、変形、硬化がなく継続使用に耐えるもの。表面は肌触りがよく、弾力性があり、浮遊力が大で水はけに優れ、抗菌コートが可能なもの。特にシートは断熱性に富んでいて自由自在に簡単に切ることができるもの。【００１９】保温シートに固定されている警報装置は電源を内蔵し防水処理されているものであれば、通常使われているブザーで十分である。設置位置は、緊急時に素早く行動に移せ、迅速かつ正確に家人に知らせる目的を達成するため、シートの裏側に操作部を設けて、発振部の位置は限定するものではない。【００２０】以下、図の実施例に基づいて本発明に実施の態様を詳細に説明する。【００２１】図２に示すように本発明シート１は断熱性、弾力性に富み、湯の温度で変化、変形、硬化がなく、刃物で容易に切れ、肌触りの良い材質でつくられている保温シート４の一端部に円孔５を設ける。保温シート４同様、湯の温度で変化、変形、硬化のない材質を使用し、保温シート４の円孔５の内径とほぼ同寸法の直径を有する様々な形の浮輪７、８、９、１０を保温シート４の上に着脱自在に結合し、湯面２に浮かせ、円孔５と浮輪７、８、９、１０の結合した孔から頭部を通し、通常入浴時には図９のように、半身浴時には図１０のように使用する。浮輪７、８、９、１０の前後左右の太さは同寸法１１、異寸法１２と多様である。半身浴時には、腰掛台１４を使用すると効果的である。本発明シートの警報装置の操作部１５は保温シート４の裏面に取り付けられている。
【産業上の利用可能性】
【００２２】乳幼児の海水浴遊び、プール遊びに本発明シートの浮輪の部分を身体につけることによって通常の浮輪として使用可能である。
【図面の簡単な説明】
【００２３】
【図１】浴槽内の水面に浮かせた本発明における一実施例を示す横断面図である。
【図２】図１に示すシートの上斜視図である。
【図３】シートに円形の浮輪を結合した上斜視図である。
【図４】シートに四角形の浮輪を結合した上斜視図である。
【図５】シートに楕円形の浮輪を結合した上斜視図である。
【図６】シートに多角形の浮輪を結合した上斜視図である。
【図７】浮輪の太さが前後左右同寸法の横断面図である。
【図８】浮輪の太さが前後左右異寸法の横断面図である。
【図９】本発明シートを使用した通常入浴時の横断面図である。
【図１０】本発明シートを使用した半身浴時の横断面図である。
【図１１】シートの裏面に設置した警報装置の操作部の位置を示す横断面図である。
【符号の説明】
【００２４】１    本発明シート
２    湯面
３    浴槽
４    保温シート
５    円孔
６    本発明シートを使わない時に吊るすループ
７    円形浮輪
８    四角形浮輪
９    楕円形浮輪
１０  多角形浮輪
１１  前後左右同寸法の太さの浮輪
１２  前後左右異寸法の太さの浮輪
１３  使用者
１４  腰掛台
１５  警報装置の操作部
【図１】
2006150005.tif 000003
【図２】
2006150005.tif 000004
【図３】
2006150005.tif 000005
【図４】
2006150005.tif 000006
【図５】
2006150005.tif 000007
【図６】
2006150005.tif 000008
【図７】
2006150005.tif 000009
【図８】
2006150005.tif 000010
【図９】
2006150005.tif 000011
【図１０】
2006150005.tif 000012
【図１１】
2006150005.tif 000013